(57)【要約】【課題】  吸液構造体の前後端縁をカバーシートで被覆するとともに、カバーシートによる着用者への刺激を低減することができる着用物品を提供する。【解決手段】  おむつ１０は、前後ウエスト部材２０，３０と、前後ウエスト部材２０，３０をつなぐ吸液構造体４０とを含む。吸液構造体４０は、その前後端縁４０ａ，４０ｂが前後ウエスト部材２０,３０に重なり、それら前後端縁４０ａ，４０ｂを覆うように、前後カバーシート５０,６０が積層されている。前後カバーシート５０，６０には、吸液構造体４０または前後ウエスト部材２０，３０に接合される接合領域５１，６１と、接合領域５１，６１の縦方向Ｙ外側の外側非接合領域５２，６２と、縦方向Ｙ内側の内側非接合領域５３，６３とが形成される。内側非接合領域５３，６３には、横方向Ｘに延びる折曲線５４，６４に沿って身体側に折り返されて折返し部５５，６５が形成されている。【選択図】図２
2011136032.tif 000002
【特許請求の範囲】
【請求項１】
縦方向および横方向と、身体側およびその反対側と、前後ウエスト域のいずれか一方である第１ウエスト域と、前記前後ウエスト域の他方である第２ウエスト域と、前記第１および第２ウエスト域間に位置するクロッチ域を含むシャーシと、前記シャーシの前記身体側であって、前記クロッチ域から前記第１および第２ウエスト域に延びる吸液構造体と、前記吸液構造体の前記第１ウエスト域に位置する第１端縁および前記第２ウエスト域に位置する第２端縁を被覆する第１および第２カバーシートとを含む着用物品において、
前記第１および第２カバーシートは、前記吸液構造体または前記シャーシに接合される第１および第２接合領域と、前記第１および第２接合領域の前記縦方向内外側のいずれかに隣接する第１および第２非接合領域とを含み、前記第１および第２非接合領域の少なくともいずれか一方に、前記横方向に延びる折曲線が形成されるとともに、前記折曲線に沿って前記身体側に折り返された折返し部が形成されることを特徴とする前記着用物品。
【請求項２】
前記第１および第２ウエスト域は、前記縦方向に延びる両側縁で互いに接合されたシーム部を形成し、前記折返し部は、前記シーム部で折り返された状態で接合される請求項１記載の着用物品。
【請求項３】
前記第１および第２カバーシートは、非親水性の繊維不織布によって形成される請求項１または２記載の着用物品。
【請求項４】
前記第１ウエスト域は、第１ウエスト部材によって形成され、前記第２ウエスト域は、第２ウエスト部材によって形成され、前記吸液構造体は、前記第１および第２ウエスト部材を連結するとともに、前記第１および第２ウエスト部材の前記身体側に接合される請求項１〜３のいずれかに記載の着用物品。
【請求項５】
前記折返し部と、前記第１および第２カバーシートとが、互いに対向する面において接合される請求項１〜４のいずれかに記載の着用物品。
【発明の詳細な説明】
【技術分野】
【０００１】
この発明は、着用物品に関し、さらに詳しくは使い捨てのおむつ、排泄トレーニングパンツ、失禁ブリーフ等の着用物品に関する。
【背景技術】
【０００２】
従来、内外面シートで形成されたシャーシの身体側に、吸収体が取り付けられ、吸収体の両端縁がエンド押えシートによって被覆された使い捨ておむつが知られている。例えば、特許文献１によれば、吸収体の一方の端縁は前腹部に位置し、他方の端縁は後背部に位置し、それぞれ、エンド押えシートによって、被覆することによって、吸収体の両端縁が直接肌に当たらないようにしていた。
【先行技術文献】
【特許文献】
【０００３】
【特許文献１】特開２００６−２４７００９公報（ＪＰ  ２００６−２４７００９  Ａ）
【発明の概要】
【発明が解決しようとする課題】
【０００４】
上記のような特許文献１では、吸収体とエンド押えシートとの接合部分が、接着剤で剛性が高くなり、これが直接肌に接触することで、肌に刺激を与える可能性があった。
【０００５】
この発明では、吸液構造体の前後端縁をカバーシートで被覆するとともに、カバーシートによる着用者への刺激を低減することができる着用物品を提供することを課題とする。
【課題を解決するための手段】
【０００６】
この発明は、縦方向および横方向と、身体側およびその反対側と、前後ウエスト域のいずれか一方である第１ウエスト域と、前記前後ウエスト域の他方である第２ウエスト域と、前記第１および第２ウエスト域間に位置するクロッチ域を含むシャーシと、前記シャーシの前記身体側であって、前記クロッチ域から前記第１および第２ウエスト域に延びる吸液構造体と、前記吸液構造体の前記第１ウエスト域に位置する第１端縁および前記第２ウエスト域に位置する第２端縁を被覆する第１および第２カバーシートとを含む着用物品の改良に関わる。
【０００７】
この発明は、前記着用物品において、前記第１および第２カバーシートは、前記吸液構造体または前記シャーシに接合される第１および第２接合領域と、前記第１および第２接合領域の前記縦方向内外側のいずれかに隣接する第１および第２非接合領域とを含み、前記第１および第２非接合領域の少なくともいずれか一方に、前記横方向に延びる折曲線が形成されるとともに、前記折曲線に沿って前記身体側に折り返された折返し部が形成されることを特徴とする。
【０００８】
この発明の実施態様のひとつとして、前記第１および第２ウエスト域は、前記縦方向に延びる両側縁で互いに接合されたシーム部を形成し、前記折返し部は、前記シーム部で折り返された状態で接合される。
【０００９】
他の実施態様のひとつとして、前記第１および第２カバーシートは、非親水性の繊維不織布によって形成される。
【００１０】
他の実施態様のひとつとして、前記第１ウエスト域は、第１ウエスト部材によって形成され、前記第２ウエスト域は、第２ウエスト部材によって形成され、前記吸液構造体は、前記第１および第２ウエスト部材を連結するとともに、前記第１および第２ウエスト部材の前記身体側に接合される。
【００１１】
他の実施態様のひとつとして、前記折返し部と、前記第１および第２カバーシートとが、互いに対向する面において接合される。
【発明の効果】
【００１２】
この発明、特にそのひとつ以上の実施態様によれば、吸液構造体の第１および第２端縁を被覆する第１および第２カバーシートを有し、第１および第２カバーシートは、第１および第２接合領域によって、吸液構造体またはシャーシに接合される。第１および第２カバーシートには、第１および第２接合領域に隣接する第１および第２非接合領域が形成され、第１および第２非接合領域の少なくともいずれか一方において、横方向に延びる折曲線に沿って、第１および第２カバーシートが身体側に折り返される折返し部を形成することとしたので、折返し部が立体的に着用者に接触し、着用者の肌から吸液構造体の端部を離間させるので、着用者の肌に対する刺激を低減することができる。
【図面の簡単な説明】
【００１３】
【図１】おむつの斜視図。
【図２】おむつ展開平面図。
【図３】図２のＩＩＩ−ＩＩＩ線断面図。
【図４】図２のＩＶ−ＩＶ線断面図。
【図５】図４の弾性要素が収縮した図。
【発明を実施するための形態】
【００１４】
図１〜５は、この発明の一実施形態を示すものであり、着用物品として使い捨ておむつを例に挙げて説明する。
【００１５】
図１はおむつ１０のウエスト開口およびレッグ開口が環状に保たれた状態の斜視図、図２はおむつ１０の身体側から見た展開平面図であって、おむつの各弾性体をその収縮力に抗して伸長させ、おむつ１０を平面に保った状態を示したもの、図３は図２のＩＩＩ−ＩＩＩ線断面図、図４は図２のＩＶ−ＩＶ線断面図、図５は図４と同様の図であって弾性要素の収縮力が作用した状態の図である。図２では、説明のために一部を破断している。
【００１６】
おむつ１０は、縦方向Ｙおよび横方向Ｘと、身体側およびその反対側である着衣側と、前ウエスト域１１、後ウエスト域１２、前後ウエスト域１１，１２の間に位置するクロッチ域１３とを含む。おむつ１０は、横方向Ｘの長さ寸法を二等分する仮想縦中心線Ｐ−Ｐと、縦方向Ｙの長さ寸法を二等分する仮想横中心線Ｑ−Ｑとを含み、仮想縦中心線Ｐ−Ｐに対してほぼ対称に形成されている。
【００１７】
おむつ１０は、縦方向Ｙに互いに離間する前後ウエスト部材２０，３０と、これら前後ウエスト部材２０，３０をつなぐクロッチ部材である吸液構造体４０とを含む。前後ウエスト部材２０，３０は、縦方向Ｙに延びる前後両側縁２１，３１と、横方向Ｘに延びる第１および第２端縁２２，３２と、第１および第２端縁２２，３２とは反対側の第１および第２反対縁２３，３３とを有している。前後両側縁２１，３１を互いに接合することによってシーム部１４が形成されるとともに、第１端縁および第２端縁２２，３２によってウエスト開口が形成され、前後ウエスト部材２０，３０の反対縁２３，３３と吸液構造体４０の両側縁４０ｃとによってレッグ開口が形成されている。
【００１８】
後ウエスト部材３０は、前ウエスト部材２０よりも縦方向Ｙの長さ寸法が大きくされている。すなわち、後ウエスト部材３０には、前後ウエスト部材２０，３０をその側縁で互いに接合した場合に、前ウエスト部材２０に重なって着用者のウエストに位置するウエストフィット領域３０ａと、ウエストフィット領域３０ａからクロッチ域１３へと延出する延出領域３０ｂとが形成される。これらウエストフィット領域３０ａと延出領域３０ｂとは、仮想線３８によって画成されている。前ウエスト部材２０およびウエストフィット領域３０ａの縦方向Ｙの長さ寸法は約７０〜２４０ｍｍであり、この実施形態では約１０６ｍｍである。延出領域３０ｂの縦方向Ｙの長さ寸法は約３０〜９０ｍｍであり、この実施形態では約６０ｍｍである。延出領域３０ｂの横方向Ｘの長さ寸法は、ウエストフィット領域３０ａのそれとほぼ等しくされ、ウエストフィット領域３０ａおよび延出領域３０ｂは全体として矩形を形成している。
【００１９】
前ウエスト部材２０の第１端縁２２から第１反対縁２３までを前ウエスト域１１とし、後ウエスト部材３０の第２端縁３２から仮想線３８まで、すなわち、ウエストフィット領域３０ａを後ウエスト域１２とし、仮想線３８から第２反対縁３３を越えて第１反対縁２３までをクロッチ域１３としている。前後ウエスト部材２０，３０および吸液構造体４０の一部によって、この発明のシャーシを形成している。
【００２０】
前後ウエスト部材２０，３０は、身体側に位置する前後内面シート２４,３４と、着衣側に位置する前後外面シート２５，３５とを含み、これら内外面シートの間に、前後ウエスト部材２０，３０を横方向Ｘに弾性化するウエスト弾性要素が取り付けられている。具体的には、前ウエスト部材２０およびウエストフィット領域３０ａには、複数の弾性糸からなる前後ウエスト弾性要素２６，３６が、横方向Ｘに延びるとともに収縮可能に伸長状態で取り付けられている。これら前後ウエスト弾性要素２６，３６は、縦方向Ｙに離間して取り付けられ、そのピッチは約３〜１５ｍｍであり、この実施形態では約５ｍｍとされている。前後ウエスト弾性要素２６，３６は、第１および第２端縁２２，３２の近傍においては、他の領域よりも伸張応力が大きくなるようにして、ウエスト開口を着用者の身体に確実に密着させ、尿等の排泄物が漏れるのを防止している。前後ウエスト弾性要素２６，３６として、約４７０〜１２４０ｄｔｅｘの弾性糸を約３〜１２本用い、第１および第２端縁２２，３２の近傍では、約４７０ｄｔｅｘの弾性糸が５本、約２．７倍の伸長率で取り付けられ、それよりもクロッチ域１３側では、約４７０ｄｔｅｘの弾性糸が６本、約６２０ｄｔｅｘの弾性糸が９本、それぞれ約２．２倍の伸長率で取り付けられている。弾性糸の伸長率は、約１．８〜３．５倍の範囲に設定することができ、適宜変更可能である。
【００２１】
延出領域３０ｂには、複数の弾性糸からなる延出弾性要素３７が、横方向Ｘに延びるとともに収縮可能に伸長状態で取り付けられている。これら延出弾性要素３７は、縦方向Ｙに離間して取り付けられて、そのピッチは約１０〜３０ｍｍ、この実施形態では約２０ｍｍとされ、前後ウエスト弾性要素２６，３６のピッチよりも大きくされている。延出領域３０ｂは、大きな伸張応力によって身体に密着する必要がないからである。また、延出弾性要素３７の本数を少なくすることによって、弾性要素によって延出領域３０ｂの剛性が大きくなるのを防止することができる。延出弾性要素３７として、約４７０〜１２４０ｄｔｅｘの弾性糸を約１．５〜３．２倍の伸長率に設定して取り付けるとことができる。この実施形態では、延出弾性要素３７として約４７０ｄｔｅｘの弾性糸を３本用い、約２．２倍の伸長率で取り付けられている。
【００２２】
各弾性要素２６，３６，３７は、その周囲に直接ホットメルト接着剤等を塗布することによって、前内外面シート２４，２５または後内外面シート３４，３５に接合され、これら接着剤によって内外面シートも互いに接合される。したがって、確実に弾性要素の抜け止めをすることができ、かつ、余分な接着剤によってシートの剛性が大きくなるのを防止することができる。
【００２３】
吸液構造体４０には、吸液性の芯材４１と、芯材４１の吸収面を覆い身体側に位置する内側シート４２と、芯材４１の底面を覆う漏れ防止シート４３と、漏れ防止シート４３の底面側を覆う外側シート４４とを含む。これら内外側シート４２，４４によって、芯材４１の被覆シートを形成している。芯材４１としては、フラッフパルプや高吸収性ポリマー粒子等を用いることができる。
【００２４】
内側シート４２として、透液性の繊維不織布等を用いることができる。この内側シート４２は、例えば、単位面積当たりの質量が約１０〜３０ｇ／ｍ２のホットエアースルー繊維不織布、ポイントボンド繊維不織布、スパンボンド繊維不織布等を用いることができる。
漏れ防止シート４３として、透湿性かつ不透液性のプラスチックフィルムを用いることができ、このシート４３で少なくとも吸液構造体４１の底面全体を覆って、尿等の体液がおむつ１０外に漏れないようにしている。
外側シート４４は、透湿性かつ不透液性の繊維不織布等を用いることができる。この外側シート４４は、例えば、単位面積当たりの質量が約１０〜２５ｇ／ｍ２のスパンボンド・メルトブローン・スパンボンド（ＳＭＳ）繊維不織布、ポイントボンド繊維不織布、スパンボンド繊維不織布等を用いることができる。
【００２５】
吸液構造体４０の内側シート４２、漏れ防止シート４３および外側シート４４は、芯材４１の縦方向Ｙの長さ寸法よりも大きくされている。このような吸液構造体４０の前後端縁４０ａ，４０ｂ側には芯材４１が存在しない、すなわち内側シート４２、漏れ防止シート４３および外側シート４４のみで形成された前後端フラップ４８，４９が形成される。これら前後端フラップ４８，４９において、内側シート４２と漏れ防止シート４３と外側シート４４とは、ホットメルト接着剤等の接着手段によってそれぞれ互いに直接的に接合されている（ただし、間接的に接合されていることを排除するものではない）。
【００２６】
同様に、横方向Ｘにおいても、内側シート４２、漏れ防止シート４３および外側シート４４が芯材４１の外側縁に延出し、これらシートが、ホットメルト接着剤等の接着手段によって互いに直接的に接合されている（ただし、間接的に接合されていることを排除するものではない）。吸液構造体４０の横方向Ｘ外側では、外側シート４４によって、ガスケットカフ７０および漏れバリアカフ８０が形成されている。ガスケットカフ７０は、芯材４１の両側縁から横方向Ｘ外側に延出した外側シート４４が、折り畳まれることによって形成されている。ガスケットカフ７０は、芯材４１の前後方部４５，４６の横方向Ｘ外側では、その横方向Ｘの長さ寸法が約３５ｍｍ、中間部４７の横方向Ｘ外側では約７５ｍｍとされている。
【００２７】
ガスケットカフ７０を形成する外側シート４４の間には、縦方向Ｙに延びる複数のガスケット弾性要素７１が伸長状態で収縮可能に取り付けられて、ガスケットカフ７０が縦方向Ｙに弾性化されている。ガスケット弾性要素７１として、約４７０〜１２４０ｄｔｅｘの弾性糸を約２．３〜３．０倍の伸長率に設定して取り付けることができる。この実施形態において、ガスケット弾性要素７１として約６２０ｄｔｅｘの弾性糸を３本用いることができ、伸長率を約２．８倍としている。ガスケットカフ７０では、外側シート４４，漏れ防止シート４３，ガスケット弾性要素７１が、接着剤等の接合手段を介して互いに接合されている。ガスケット弾性要素７１は、その一端７１ａが前ウエスト弾性要素２６の一部と重なり、他端７１ｂが延出弾性要素３７の一部と重なっている（図２参照）。
【００２８】
図４，５に示したように、漏れバリアカフ８０は、横方向Ｙ内側に位置し縦方向Ｙに延びる近位縁８２と、横方向Ｘ外側に位置し縦方向Ｙに延びる遠位縁８３とを含み、ガスケットカフ７０からさらに横方向Ｘ内側に延びる外側シート４４が折り畳まれることによって形成され、吸液構造体４０上に位置している。このように折り畳むことによって、遠位縁８３は、芯材４１の両側縁４１ｃ近傍に位置し、近位縁８２は、芯材４１の身体側面上に位置する。
【００２９】
遠位縁８３には、縦方向Ｙに延びる複数のバリア弾性要素８１が伸長状態で収縮可能に取り付けられ、漏れバリアカフ８０が縦方向Ｙに弾性化されている。このように弾性化されることによって、遠位縁８３は、図５に示したように、おむつ１の着用時において、内側シート４２から起立するように離間して、漏れ防止のカフ８０を形成する。バリア弾性要素８１として、約４７０〜１２４０ｄｔｅｘの弾性糸を約２．３〜３．０倍の伸長率に設定して取り付けることができる。この実施例において、バリア弾性要素８１として約６２０ｄｔｅｘの弾性糸を２本用いることができ、伸長率を約２．８倍としている。
【００３０】
吸液構造体４０は、その前後端縁４０ａ，４０ｂが前後ウエスト部材２０，３０に重なり、それら前後端縁４０ａ，４０ｂを覆うように、前後カバーシート５０，６０が積層されている（図２および図３参照）。前後カバーシート５０，６０の両側縁５６，６６は、前後ウエスト部材２０，３０の両側縁２１，３１と一致するように横方向Ｘに延び、吸液構造体４０の前後端縁４０ａ，４０ｂの全域を覆うことができる。このように前後端縁４０ａ，４０ｂを前後カバーシート５０，６０で覆うことによって、芯材４１の形成材料がこぼれ出ないようにするとともに、前後端縁４０ａ，４０ｂが着用者の肌に接触することによる肌トラブルを防止している。
【００３１】
前後カバーシート５０，６０としては、非親水性かつ通気性の繊維不織布を用いることができる。具体的には、例えば、単位面積当たりの質量が約１０〜５０ｇ／ｍ２のホットエアースルー繊維不織布、ポイントボンド繊維不織布、スパンボンド繊維不織布等であって、親水処理を施していないものを用いることができる。ただし、前後カバーシート５０，６０として、親水性のものを排除するものではない。
【００３２】
前後カバーシート５０，６０は、前後ウエスト部材２０，３０に対向する対向面５０ａ，６０ａに、ホットメルト接着剤等の接着手段によって吸液構造体４０または前後ウエスト部材２０，３０に接合される接合領域５１，６１が形成されている。接合領域５１，６１の縦方向Ｙ外側には、外側非接合領域５２，６２が隣接して形成され、縦方向Ｙ内側には、内側非接合領域５３，６３が隣接して形成され、それぞれ吸液構造体４０または前後ウエスト部材２０，３０から離間可能とされている。
【００３３】
内側非接合領域５３，６３には、横方向Ｘに延びる折曲線５４，６４が形成されている。前後カバーシート５０，６０は、折曲線５４，６４に沿って身体側に折り返されて折返し部５５，６５が形成されている。折曲線５４，６４は、接合領域５１，６１と内側非接合領域５３，６３との境界に形成されている。折曲線５４，６４は、一方の側縁５５，５６から他方の側縁５５，５６に亘って形成され、その両側縁５６，６６では、折返し部５５，６５が形成された状態で、シーム部１４によって前後ウエスト部材２０，３０とともに接合される。したがって、折返し部５５，６５は、少なくともその両側縁５６，６６においては、折返した状態が維持される。
【００３４】
上記のようなカバーシート５０，６０の折返し部５５，６５は、両側縁５６，６６以外の部分では、シートの剛性によって、着用者身体側に向かって起立する傾向を示す。したがって、おむつ１０の着用時において、折返し部５５，６５が着用者の肌に接触し、吸液構造体４０の前後端縁４０ａ，４０ｂは、肌から離間させる。吸液構造体４０の前後端縁４０ａ，４０ｂでは、複数のシートが積層されるとともに、これらシートを互いに接合するために接着剤が使用されるから、その剛性が高くなりがちであるが、前後端縁４０ａ，４０ｂが着用者の肌から離間されるので、これが肌に対する刺激となることがない。
【００３５】
折返し部５５，６５は、吸液構造体４０から起立するように着用者の肌に密着することができるので、尿等の漏れ防止壁として機能することができる。また、横方向Ｘに延びる接合領域５１，６１を形成することによって、尿等がウエスト開口側に向かってにじむのを防止することができる。
【００３６】
この実施形態では、前後カバーシート５０，６０の内側非接合領域５３，６３のいずれにおいても、折返し部５５，６５を形成することとしているが、少なくともいずれか一方で形成されていればよく、外側非接合領域５２，６２の少なくともいずれか一方に形成されていてもよい。折返し部が形成されない部分においては、非接合領域とすることなく、接着剤等を塗布して接合領域とすることもできる。
【００３７】
前後カバーシート５０，６０は、非親水性にしているので、尿等の水分を撥水することができ、吸液構造体４０側からウエスト開口に向かって滲み出るのを防止することができる。前後カバーシート５０，６０に折返し部５５，６５を形成することによって、折返し部５５，５６が前後カバーシート５０，６０本体に密接するようにして積層された場合には、シートが二重となって、より一層、尿等が滲み出るのを防止することができる。
また、折返し部５５，６５は、その両側縁でのみ、シーム部１４によって前後カバーシート５０，６０本体側に接合されているが、折返し部５５，６５全体またはその一部を前後カバーシート５０，６０本体側に接合するようにしてもよい。このように接合することによって、これらシートを互いに密接するように積層することができる。
【００３８】
本発明の明細書および特許請求の範囲において、用語「第１」および「第２」は、同称の要素、位置等を単に区別するために用いられている。さらに、本発明の明細書および特許請求の範囲において、用語「第１ウエスト域」は、前後ウエスト域の一方を意味し、「第２ウエスト域」はその他方を意味する。
【符号の説明】
【００３９】
１０    おむつ（着用物品）
１１    前ウエスト域（第１または第２ウエスト域）
１２    後ウエスト域（第１または第２ウエスト域）
１３    クロッチ域
１４    シーム部
２０    前ウエスト部材（第１または第２ウエスト部材）
２１    前両側縁
３０    後ウエスト部材（第１または第２ウエスト部材）
３１    後両側縁
４０    吸液構造体
４０ａ  前端縁（第１または第２端縁）
４０ｂ  後端縁（第１または第２端縁）
５０    前カバーシート（第１または第２カバーシート）
６０    後カバーシート（第１または第２カバーシート）
５１    接合領域（第１または第２接合領域）
５２    外側非接合領域（第１または第２非接合領域）
５３    内側非接合領域（第１または第２非接合領域）
５４    折曲線
５５    折返し部
６１    接合領域（第１または第２接合領域）
６２    外側非接合領域（第１または第２非接合領域）
６３    内側非接合領域（第１または第２非接合領域）
６４    折曲線
６５    折返し部
Ｘ    横方向
Ｙ    縦方向
【図１】
2011136032.tif 000003
【図２】
2011136032.tif 000004
【図３】
2011136032.tif 000005
【図４】
2011136032.tif 000006
【図５】
2011136032.tif 000007